(57)【要約】【課題】流量損失を小さく抑えることができる洗浄装置を提供すること。【解決手段】洗浄装置１は、基端側に洗浄液導入部が設けられる筒状のシリンダ部材１１と、シリンダ部材１１の先端に対して出没可能に設けられる筒状のピストン部材１３と、ピストン部材１３の先端に設けられ該ピストン部材１３の内部通路１３ｆを介して給送された洗浄液を洗浄対象に噴射するための噴射口１９を有したノズル部と、ピストン部材１３をシリンダ部材１１内に没入させる方向に付勢する圧縮コイルばね２０と、ピストン部材１３の先端側に設けられ、内部通路１３ｆ内の圧力が予め設定した値以上となると内部通路１３ｆを噴射口１９に連通する弁体２１とを備える。内部通路１３ｆには、ピストン部材１３の先端側に向かって徐々に縮径する縮径部１３ｊが設けられる。【選択図】図２
2016137879.tif 000002
【特許請求の範囲】
【請求項１】
基端側に洗浄液導入部が設けられる筒状のシリンダ部材と、
前記シリンダ部材の先端に対して出没可能に設けられる筒状のピストン部と、
前記ピストン部の先端に設けられ該ピストン部の内部通路を介して給送された洗浄液を洗浄対象に噴射するための噴射口を有したノズル部と、
前記ピストン部を前記シリンダ部材内に没入させる方向に付勢する付勢部材と、
前記ピストン部の先端側に設けられ、前記内部通路内の圧力が予め設定した値以上となると前記内部通路を前記ノズル部の噴射口に連通する弁体と
を備えた洗浄装置であって、
前記内部通路には、前記ピストン部の先端側に向かって徐々に縮径する縮径部が設けられたことを特徴とする洗浄装置。
【請求項２】
請求項１に記載の洗浄装置において、
前記縮径部は、前記ピストン部の長手方向軸線に対して４５°未満の角度で傾斜していることを特徴とする洗浄装置。
【発明の詳細な説明】
【技術分野】
【０００１】
本発明は、洗浄液を噴射するための洗浄装置に関するものである。
【背景技術】
【０００２】
従来から車両には、洗浄液を噴射するための洗浄装置が備えられている。そして、ヘッドランプ等の洗浄対象を洗浄する洗浄装置等は、例えばフロントバンパの内部（裏側）に配設され、洗浄時のみ外部に突出して洗浄液をヘッドランプ等の洗浄対象に噴射する。このような洗浄装置としては、筒状のシリンダ部材と、シリンダ部材に対して出没可能に設けられる筒状のピストン部材とを備え、ピストン部材の内部通路に給送される洗浄液の圧力によってピストン部材を突出させてその先端に設けられた噴射口から洗浄液を噴射するものがある（例えば、特許文献１参照）。この洗浄装置では、内部通路の先端には、洗浄液の通路を絞るように径方向内側に突出する円盤状突出部が設けられ、その円盤状突出部によって小さくされた（絞られた）開口に、内部通路内の圧力が高くなると内部通路を噴射口と連通する弁体が設けられている。このように円盤状突出部によって洗浄液の通路を絞ることで、例えば、弁体を小さくすることができる。
【先行技術文献】
【特許文献】
【０００３】
【特許文献１】特開２０１１−１４８３５０号公報
【発明の概要】
【発明が解決しようとする課題】
【０００４】
しかしながら、上記のような洗浄装置では、径方向内側に突出する円盤状突出部が洗浄液の流れてくる方向に対する壁となることから、洗浄液の流れに渦を発生させて、円盤状突出部によって小さくされた開口への洗浄液の流れが阻害されて流量損失が大きくなってしまう虞があった。即ち、噴射口からの噴射流量や噴射圧力が低下してしまう虞があった。
【０００５】
本発明は、上記問題点を解決するためになされたものであって、その目的は、流量損失を小さく抑えることができる洗浄装置を提供することにある。
【課題を解決するための手段】
【０００６】
上記課題を解決する洗浄装置は、基端側に洗浄液導入部が設けられる筒状のシリンダ部材と、前記シリンダ部材の先端に対して出没可能に設けられる筒状のピストン部と、前記ピストン部の先端に設けられ該ピストン部の内部通路を介して給送された洗浄液を洗浄対象に噴射するための噴射口を有したノズル部と、前記ピストン部を前記シリンダ部材内に没入させる方向に付勢する付勢部材と、前記ピストン部の先端側に設けられ、前記内部通路内の圧力が予め設定した値以上となると前記内部通路を前記ノズル部の噴射口に連通する弁体とを備えた洗浄装置であって、前記内部通路には、前記ピストン部の先端側に向かって徐々に縮径する縮径部が設けられる。
【０００７】
同構成によれば、内部通路には、ピストン部の先端側（弁体）に向かって徐々に縮径する縮径部が設けられるため、弁体を小さくすることができるとともに、洗浄液の流れに渦が発生してしまうことを抑えることができ、それによって洗浄液の流れが阻害され難くすることができ、流量損失を小さく抑えることができる。
【０００８】
上記洗浄装置において、前記縮径部は、前記ピストン部の長手方向に対して４５°未満の角度で傾斜していることが好ましい。
同構成によれば、縮径部は、ピストン部の長手方向軸線に対して４５°未満の角度で傾斜しているため、縮径部では壁による急激な流れの堰き止め部分がなく、洗浄液の流れに渦が発生してしまうことをより一層抑えることができる。
【発明の効果】
【０００９】
本発明の洗浄装置では、流量損失を小さく抑えることができる。
【図面の簡単な説明】
【００１０】
【図１】（ａ）は一実施形態における洗浄装置の正面図。（ｂ）は同じく洗浄装置の一部断面図。
【図２】一実施形態における洗浄装置の一部拡大断面図。
【図３】（ａ）及び（ｂ）は、一実施形態における洗浄装置の作用を説明するための一部断面図。
【図４】一実施形態における洗浄装置の作用を説明するための一部拡大断面図。
【発明を実施するための形態】
【００１１】
以下、ヘッドランプ用の洗浄装置の一実施形態を図１〜図４に従って説明する。
図１（ａ）及び図１（ｂ）に示すように、洗浄装置１は、図示しないフロントバンパの内部（裏側）に固定される筒状のシリンダ部材１１と、該シリンダ部材１１の基端部に嵌着された蓋部材１２とを備える。蓋部材１２には、シリンダ部材１１の内部と連通する筒状の洗浄液導入部１２ａが突出形成され、該洗浄液導入部１２ａには図示しない電動ポンプがホースを介して接続されることになる。
【００１２】
又、洗浄装置１は、シリンダ部材１１の先端の開口に対して出没可能に設けられる筒状のピストン部としてのピストン部材１３と、ピストン部材１３の先端に嵌着されたノズル支持部材１４と、ノズル支持部材１４に支持された２つのノズルボディ１５と、各ノズルボディ１５に嵌着されたノズルチップ１６とを備える。尚、本実施形態では、ノズル支持部材１４、ノズルボディ１５及びノズルチップ１６がノズル部を構成している。
【００１３】
詳しくは、図２に示すように、ピストン部材１３の先端部（図中、上端部）には、その外径が小さくされた内嵌部１３ａが形成され、その内嵌部１３ａの外周面には複数の係止凸部１３ｂが形成されている。又、内嵌部１３ａの外周面には環状凹部１３ｃが形成され、該環状凹部１３ｃにはシールリング１７が外嵌されて収容されている。又、ピストン部材１３の先端部であって内嵌部１３ａの内側には、ピストン部材１３の先端から基端側に凹設された弁収容室１３ｄが形成され、その底部中央に形成された開口１３ｅは、ピストン部材１３の他の部位（開口１３ｅよりも上流側の部位）の内周面からなる内部通路１３ｆと連通している。
【００１４】
又、図１（ｂ）に示すように、ピストン部材１３の基端部には、外径が大きくされた一対の外延部１３ｇが形成されることでそれらの間に環状凹部１３ｈが形成され、該環状凹部１３ｈには環状のシール部材１８が外嵌されて収容されている。このシール部材１８は、シリンダ部材１１の内周面と摺接可能且つ液密に密着している。
【００１５】
図２に示すように、ノズル支持部材１４は、前記内嵌部１３ａに外嵌される外嵌筒部１４ａと、該外嵌筒部１４ａの内部と連通しつつ二股に分かれた支持筒部１４ｂとを有する。外嵌筒部１４ａには、前記係止凸部１３ｂが嵌る係止孔１４ｃが形成され、ノズル支持部材１４は、外嵌筒部１４ａが内嵌部１３ａに外嵌されるとともに、係止孔１４ｃに係止凸部１３ｂが嵌ることでピストン部材１３に嵌着されている。又、この状態で前記シールリング１７は、外嵌筒部１４ａの内周面に液密に密着される。又、支持筒部１４ｂの先端部の内周面は、球体を転動可能に保持可能な球面凹部１４ｄが形成されている。又、ノズル支持部材１４において二股に分かれた支持筒部１４ｂの分岐部分には、前記開口１３ｅ側（基端側）に延びる支持柱１４ｅが形成されている。
【００１６】
そして、前記球面凹部１４ｄには、ノズルボディ１５の球面部１５ａが転動可能に保持されている。ノズルボディ１５は、外形が球面状の前記球面部１５ａと、球面部１５ａの一部から突出したチップ保持部１５ｂとを有する。チップ保持部１５ｂには、一方（図２中、紙面手前側）に開口したチップ収容部１５ｃが形成され、該チップ収容部１５ｃにはノズルチップ１６が収容保持されている。ノズルチップ１６は、チップ収容部１５ｃの内面とともに噴射口１９を構成する溝部１６ａを有し、該噴射口１９は、前記球面部１５ａの内部に形成された通路１５ｄを介して前記弁収容室１３ｄに連通している。尚、ノズルボディ１５は、球面部１５ａを球面凹部１４ｄ内で転動させることで噴射口１９の角度、即ち噴射される洗浄液の角度を変更可能に設けられ、２つのノズルボディ１５は、例えば、図示しないヘッドランプのハイビーム用光源とその周囲に対応した位置とロービーム用光源とその周囲に対応した位置とに洗浄液が噴射されるように角度が設定される。
【００１７】
又、図１（ｂ）に示すように、洗浄装置１は、一端がシリンダ部材１１の先端の開口周りに支持され、他端がピストン部材１３の前記外延部１３ｇを付勢することで、ピストン部材１３をシリンダ部材１１内に没入させる方向に付勢する付勢部材としての圧縮コイルばね２０を備えている。
【００１８】
又、図２に示すように、ピストン部材１３の先端側の弁収容室１３ｄには、前記内部通路１３ｆ内の圧力が予め設定した値以上（ピストン部材１３をシリンダ部材１１内から伸長させるのに必要な内部通路１３ｆ内の圧力よりも大きな圧力）となると内部通路１３ｆを前記噴射口１９に連通するための弁体２１が設けられている。詳しくは、弁体２１は、前記支持柱１４ｅに外嵌されつつノズル支持部材１４に一端が支持された圧縮コイルばね２２の他端によって前記開口１３ｅ側に付勢され、内部通路１３ｆ内の圧力が予め設定した値未満の状態では前記開口１３ｅを閉塞する。そして、弁体２１は、内部通路１３ｆ内の圧力が予め設定した値以上となると、圧縮コイルばね２２の付勢力に抗して移動され（図３（ｂ）及び図４参照）、前記開口１３ｅが開放されて内部通路１３ｆが噴射口１９に連通される。
【００１９】
ここで、本実施形態の内部通路１３ｆには、ピストン部材１３の先端側（弁体２１側）に向かって徐々に縮径する縮径部１３ｊが設けられている。この縮径部１３ｊは、ピストン部材１３の長手方向軸線（図２中では長手方向軸線と平行な軸線）に対して４５°未満の角度で傾斜している。尚、本実施形態の縮径部１３ｊがピストン部材１３の長手方向軸線に対して傾斜している角度θは、約８°である。
【００２０】
次に、上記のように構成された洗浄装置１の作用について説明する。
例えば、運転席に設けられたウォッシャスイッチが操作される等、ヘッドランプを洗浄させるための操作が行われると、電動ポンプが駆動され、ホース及び洗浄液導入部１２ａを介して洗浄液がピストン部材１３の内部通路１３ｆに給送される。
【００２１】
すると、まず図３（ａ）に示すように、弁体２１が開口１３ｅを閉塞しているため洗浄液の圧力によってピストン部材１３が圧縮コイルばね２０の付勢力に抗してシリンダ部材１１の先端から突出し、噴射口１９がフロントバンパから突出してヘッドランプに向いた状態となる。
【００２２】
そして、次に図３（ｂ）及び図４に示すように、内部通路１３ｆ内の圧力が高まると（予め設定した値以上となると）、弁体２１は圧縮コイルばね２２の付勢力に抗して移動され、開口１３ｅが開放されて内部通路１３ｆから噴射口１９に洗浄液が給送され、該噴射口１９からヘッドランプに洗浄液が噴射される。これによって、ヘッドランプが洗浄される。
【００２３】
次に、上記実施形態の特徴的な効果を以下に記載する。
（１）内部通路１３ｆには、ピストン部材１３の先端側（弁体２１側）に向かって徐々に縮径する縮径部１３ｊが設けられるため、弁体２１を小さくすることができるとともに、洗浄液の流れに渦が発生してしまうことを抑えることができ、それによって洗浄液の流れが阻害され難くすることができ、流量損失を小さく抑えることができる。
【００２４】
（２）縮径部１３ｊは、ピストン部材の長手方向軸線に対して４５°未満の角度（本実施形態では約８°）で傾斜しているため、縮径部１３ｊでは壁による急激な流れの堰き止め部分がなく、洗浄液の流れに渦が発生してしまうことをより一層抑えることができる。
【００２５】
上記実施形態は、以下のように変更してもよい。
・上記実施形態では、縮径部１３ｊがピストン部材１３の長手方向軸線に対して傾斜している角度θは、約８°であるとしたが、これに限定されず、例えば、４５°未満の他の角度に変更してもよい。このように変更しても、上記実施形態の効果（２）と同様の効果を得ることができる。又、前記角度θは、４５°以上に変更してもよい。
【００２６】
・上記実施形態では、ノズル支持部材１４、ノズルボディ１５及び２つのノズルチップ１６がノズル部を構成しているとしたが、ノズル部の構成は変更してもよく、例えば噴射口（ノズルチップ）が１つのノズル部に変更してもよい。
【００２７】
・上記実施形態では、ヘッドランプを洗浄するための洗浄装置１に具体化したが、これに限定されず、例えば、バックカメラのレンズ等、他の洗浄対象を洗浄するための洗浄装置に具体化してもよい。
【符号の説明】
【００２８】
１１…シリンダ部材、１２ａ…洗浄液導入部、１３…ピストン部材（ピストン部）、１３ｆ…内部通路、１３ｊ…縮径部、１４…ノズル部の一部を構成するノズル支持部材、１５…ノズル部の一部を構成するノズルボディ、１６…ノズル部の一部を構成するノズルチップ、１９…噴射口、２０…圧縮コイルばね（付勢部材）、２１…弁体、θ…角度。
【図１】
2016137879.tif 000003
【図２】
2016137879.tif 000004
【図３】
2016137879.tif 000005
【図４】
2016137879.tif 000006